(57)【要約】  【課題】  ラミネーターによる加熱、加圧で封止材が軟化溶融して横方向に広がる。それらに伴いセルストリングも動き、横方向配線に応力がかかり、それにより太陽電池素子と接続配線の接続強度が低下したり、セルストリングとセルストリングの間隔が不統一になり、太陽電池モジュールの外観が悪化したりする。  【解決手段】  太陽電池素子をこの太陽電池素子の受光面側と裏面側から挟持し、減圧下にて加熱加圧し、一体化するための一対のシート状の太陽電池モジュール用封止材であって、これらの太陽電池モジュール用封止材の少なくとも一方の前記太陽電池素子と対向する面に、前記太陽電池素子を所定の部位に配置ための位置決め用凸部を設けるとともに、この位置決め用凸部材が、前記太陽電池モジュール用封止材と異なる材質から成っていることを特徴とする太陽電池モジュール用封止材。  【選択図】  図２
2005136128.tif 000002
【特許請求の範囲】
【請求項１】
太陽電池素子をこの太陽電池素子の受光面側と裏面側から挟持し、減圧下にて加熱加圧し、一体化するための一対のシート状の太陽電池モジュール用封止材であって、これらの太陽電池モジュール用封止材の少なくとも一方の前記太陽電池素子と対向する面に、前記太陽電池素子を所定の部位に配置ための位置決め用凸部を設けるとともに、この位置決め用凸部材が、前記太陽電池モジュール用封止材と異なる材質から成っていることを特徴とする太陽電池モジュール用封止材。
【請求項２】
前記位置決め用凸部材のメルトフローレートが、前記太陽電池モジュール用封止材のメルトフローレートより小さいことを特徴とする請求項１に記載の太陽電池モジュール用封止材。
【請求項３】
前記太陽電池モジュール用封止材のメルトフローレートが４．０〜８．５ｇ／１０分であり、前記位置決め用凸部材のメルトフローレートが０．８〜３．８ｇ／１０分であることを特徴とする請求項２に記載の太陽電池モジュール用封止材。
【請求項４】
順次下記（１）〜（５）の各工程を経た後、減圧下にて加熱加圧して一体化したことを特徴とする太陽電池モジュールの製造方法。
（１）透光性基板の上に請求項１ないし３に記載の一方の位置決め用凸部を設けた太陽電池モジュール用封止材を配する。
（２）上記請求項１ないし３に記載の一方の位置決め用凸部を設けた太陽電池モジュール用封止材の上に複数の太陽電池素子を配置する。
（３）上記太陽電池素子群を配線により電気的に接続する。
（４）上記太陽電池素子群の上に請求項１ないし３に記載の他方の太陽電池モジュール用封止材を配する。
（５）上記請求項１にないし３記載の他方の太陽電池モジュール用封止材の上に裏面シートを配する。
【請求項５】
順次下記（１）〜（５）の各工程を経た後、減圧下にて加熱加圧して一体化したことを特徴とする太陽電池モジュールの製造方法。
（１）透光性基板の上に請求項１ないし３に記載の他方の太陽電池モジュール用封止材を配する。
（２）上記請求項１ないし３に記載の他方の太陽電池モジュール用封止材の上に複数の太陽電池素子を配置する。
（３）上記太陽電池素子群を配線により電気的に接続する。
（４）上記太陽電池素子群の上に請求項１ないし３に記載の一方の位置決め用凸部を設けた太陽電池モジュール用封止材を配する。
（５）上記請求項１ないし３に記載の一方の位置決め用凸部を設けた太陽電池モジュール用封止材の上に裏面シートを配する。
【請求項６】
順次下記（１）〜（５）の各工程を経た後、減圧下にて加熱加圧して一体化したことを特徴とする太陽電池モジュールの製造方法。
（１）裏面シートの上に請求項１ないし３に記載の一方の位置決め用凸部を設けた太陽電池モジュール用封止材を配する。
（２）上記請求項１ないし３に記載の一方の位置決め用凸部を設けた太陽電池モジュール用封止材の上に複数の太陽電池素子を配置する。
（３）上記太陽電池素子群を配線により電気的に接続する。
（４）上記太陽電池素子群の上に請求項１ないし３に記載の他方の太陽電池モジュール用封止材を配する。
（５）上記請求項１ないし３に記載の他方の太陽電池モジュール用封止材の上に透光性基板を配する。
【請求項７】
順次下記（１）〜（５）の各工程を経た後、減圧下にて加熱加圧して一体化したことを特徴とする太陽電池モジュールの製造方法。
（１）裏面シートの上に請求項１ないし３に記載の他方の太陽電池モジュール用封止材を配する。
（２）上記請求項１ないし３に記載の他方の太陽電池モジュール用封止材の上に複数の太陽電池素子を配置する。
（３）上記太陽電池素子群を配線により電気的に接続する。
（４）上記太陽電池素子群の上に請求項１ないし３に記載の一方の位置決め用凸部を設けた太陽電池モジュール用封止材を配する。
（５）上記請求項１ないし３に記載の一方の位置決め用凸部を設けた太陽電池モジュール用封止材の上に透光性基板を配する。
【発明の詳細な説明】
【技術分野】
【０００１】
本発明は太陽電池モジュール用封止材及びこれを用いた太陽電池モジュールの製造方法に関し、特にラミネート中のセルストリングの移動による歪みを防止し、太陽電池素子間の間隔のそろった外観上の仕上がりの良い太陽電池モジュールを作製するため用いる太陽電池モジュール用封止材及びこれを用いた太陽電池モジュールの製造方法に関する。
【背景技術】
【０００２】
太陽電池素子は単結晶シリコン基板や多結晶シリコン基板を用いて作製することが多い。このため太陽電池素子は物理的衝撃に弱く、また野外に太陽電池を取り付けた場合に、雨などからこれを保護する必要がある。また、太陽電池素子１枚では発生する電気出力が小さいため、複数の太陽電池素子を直並列に接続して、実用的な電気出力が取り出せるようにする必要がある。このため複数の太陽電池素子を直列または並列に接続して透光性基板と裏面シートの間にエチレンビニルアセテート共重合体（ＥＶＡ）などを主成分とする封止材で封止して太陽電池モジュールを作製することが通常行われている。
【０００３】
図５は従来の太陽電池モジュール内の太陽電池素子の接続の状態の一例を示したものである。
【０００４】
図５において、１は太陽電池素子、２は接続用配線、３はセルストリング、４は横方向配線を示す。
【０００５】
太陽電池素子１は、単結晶シリコン基板や多結晶シリコン基板で造られたものであり、接続用配線２、横方向配線４は銅箔にハンダコートしたものである。またセルストリング３は太陽電池素子１を直線上に接続用配線２により数個（図５の例では５個）直列又は並列に接続したものである。
【０００６】
また、太陽電池モジュールでは、通常複数のセルストリング３がさらに横方向配線４により電気的に接続されている。
【０００７】
このような接続をおこなった太陽電池素子３を上述のようにエチレンビニルアセテート共重合体（ＥＶＡ）などを主成分とする封止材で挟持し、さらにそれの各々の面に透光性基板、裏面シートを配置する。
【０００８】
これらの積層したものをラミネーターと呼ばれ装置にセットし、減圧下で加熱しながら押圧し一体化し太陽電池パネル部を作製する。
【０００９】
上述のようにラミネーターによる加熱、加圧で封止材が軟化溶融して横方向に広がる。それらに伴いセルストリング３も動き、横方向配線に応力がかかり、それにより太陽電池素子３と接続配線２の接続強度が低下したり、セルストリング３とセルストリング３の間隔が不統一になり、太陽電池モジュールの外観が悪化したりする。
【００１０】
このラミネートによるセルストリング３の移動の対策として、セルストリング３とセルストリング３の列間をアクリル糊を塗布したＰＥＴテープで固定することが行われている。（特許文献１の従来の技術参照）。
【００１１】
この出願の発明に関連する先行技術文献情報としては次のようなものがある。
【特許文献１】特開２００２−１３４７６８号公報
【発明の開示】
【発明が解決しようとする課題】
【００１２】
上述のようなセルストリング３とセルストリング３の列間をテープで固定する方法では、この列間が開く方向には有効であったが、さらにラミネート後には裏面シートの熱収縮の発生などがあり、列間が小さくなる方向には効果がなかった。
【００１３】
さらに太陽電池モジュールの生産工程において、テープを貼る時間を必要とするため工数が増加すると共にテープのコストがかかり、コストアップの要因となる。
【００１４】
本発明はこのような問題点に鑑みてなされたものであり、その目的は作業性の良い簡便でかつラミネート中のセルストリングの移動を防止し、安価でセルストリングの列間の間隔が整った外観の見栄えの良い太陽電池モジュールを製造するための太陽電池モジュール用封止材を提供することを目的とする。
【００１５】
また、本発明の他の目的は、作業性の良い簡便でかつラミネート中のセルストリングの移動を防止し、安価でセルストリングの列間の間隔が整った外観の見栄えの良い太陽電池モジュールの製造方法を提供することを目的とする。
【課題を解決するための手段】
【００１６】
上記目的を達成するために、本発明の太陽電池モジュール用封止材は、太陽電池素子をこの太陽電池素子の受光面側と裏面側から挟持し、減圧下にて加熱加圧し、一体化するための一対のシート状の太陽電池モジュール用封止材であって、これらの太陽電池モジュール用封止材の少なくとも一方の前記太陽電池素子と対向する面に、前記太陽電池素子を所定の部位に配置ための位置決め用凸部を設けるとともに、この位置決め用凸部材が、前記太陽電池モジュール用封止材と異なる材質から成っていることを特徴とする。
【００１７】
また、本発明の他の太陽電池モジュール用封止材は、前記位置決め用凸部材のメルトフローレートが、前記太陽電池モジュール用封止材のメルトフローレートより小さいことを特徴とする。
【００１８】
また、本発明の他の太陽電池モジュール用封止材は、前記太陽電池モジュール用封止材のメルトフローレートが４．０〜８．５ｇ／１０分であり、前記位置決め用凸部材のメルトフローレートが０．８〜３．８ｇ／１０分であることを特徴とする。
【００１９】
また、本発明の太陽電池モジュール製造方法は、順次下記（１）〜（５）の各工程を経た後、減圧下にて加熱加圧して一体化したことを特徴とする。
【００２０】
（１）透光性基板の上に請求項１ないし３に記載の一方の位置決め用凸部を設けた太陽電池モジュール用封止材を配する。
【００２１】
（２）上記請求項１ないし３に記載の一方の位置決め用凸部を設けた太陽電池モジュール用封止材の上に複数の太陽電池素子を配置する。
【００２２】
（３）上記太陽電池素子群を配線により電気的に接続する。
【００２３】
（４）上記太陽電池素子群の上に請求項１ないし３に記載の他方の太陽電池モジュール用封止材を配する。
【００２４】
（５）上記請求項１にないし３記載の他方の太陽電池モジュール用封止材の上に裏面シートを配する。
【００２５】
また、本発明の太陽電池モジュール製造方法は、順次下記（１）〜（５）の各工程を経た後、減圧下にて加熱加圧して一体化したことを特徴とする。
【００２６】
（１）透光性基板の上に請求項１ないし３に記載の他方の太陽電池モジュール用封止材を配する。
【００２７】
（２）上記請求項１ないし３に記載の他方の太陽電池モジュール用封止材の上に複数の太陽電池素子を配置する。
【００２８】
（３）上記太陽電池素子群を配線により電気的に接続する。
【００２９】
（４）上記太陽電池素子群の上に請求項１ないし３に記載の一方の位置決め用凸部を設けた太陽電池モジュール用封止材を配する。
【００３０】
（５）上記請求項１ないし３に記載の一方の位置決め用凸部を設けた太陽電池モジュール用封止材の上に裏面シートを配する。
【００３１】
また、本発明の太陽電池モジュール製造方法は、順次下記（１）〜（５）の各工程を経た後、減圧下にて加熱加圧して一体化したことを特徴とする。
【００３２】
（１）裏面シートの上に請求項１ないし３に記載の一方の位置決め用凸部を設けた太陽電池モジュール用封止材を配する。
【００３３】
（２）上記請求項１ないし３に記載の一方の位置決め用凸部を設けた太陽電池モジュール用封止材の上に複数の太陽電池素子を配置する。
【００３４】
（３）上記太陽電池素子群を配線により電気的に接続する。
【００３５】
（４）上記太陽電池素子群の上に請求項１ないし３に記載の他方の太陽電池モジュール用封止材を配する。
【００３６】
（５）上記請求項１ないし３に記載の他方の太陽電池モジュール用封止材の上に透光性基板を配する。
【００３７】
また、本発明の太陽電池モジュール製造方法は、順次下記（１）〜（５）の各工程を経た後、減圧下にて加熱加圧して一体化したことを特徴とする。
【００３８】
（１）裏面シートの上に請求項１ないし３に記載の他方の太陽電池モジュール用封止材を配する。
【００３９】
（２）上記請求項１ないし３に記載の他方の太陽電池モジュール用封止材の上に複数の太陽電池素子を配置する。
【００４０】
（３）上記太陽電池素子群を配線により電気的に接続する。
【００４１】
（４）上記太陽電池素子群の上に請求項１ないし３に記載の一方の位置決め用凸部を設けた太陽電池モジュール用封止材を配する。
【００４２】
（５）上記請求項１ないし３に記載の一方の位置決め用凸部を設けた太陽電池モジュール用封止材の上に透光性基板を配する。
【発明の効果】
【００４３】
本発明に係る太陽電池モジュール用封止材および太陽電池モジュールの製造方法によれば、ラミネート中の加熱と押圧により封止材が軟化溶融して横方向に広がるが、封止材のセルストリングはそれが置かれていない部分に設けられた凸部により動きが制限され、セルストリング同士の間隔が広がる方向にも小さくなる方向にも歪むことがなくなり、これにより太陽電池モジュールの横方向配線に応力がかかることが無くなり、太陽電池素子と接続配線の接続強度が低下することがない。またセルストリングとセルストリングの間隔が統一され、外観の良好な太陽電池モジュールを提供することができる。
【００４４】
さらにこの凸部材のメルトフローレートが、それが設置している受光面側封止材または裏面側封止材のメルトフローレートより小さくすることによりラミネート中でもその凸形状を維持することができ、その効果を確実なものとすることができる。
【発明を実施するための最良の形態】
【００４５】
以下、本発明の実施形態を添付図面を用いて詳細に説明する。
【００４６】
図１は本発明に係る太陽電池モジュールの製造方法における太陽電池モジュール部の構造の一例を示す図である。
【００４７】
図１において、１１は透光性基板、１２は受光面側封止材、１３は太陽電池素子、１４は裏面側封止材、１５は裏面シート、１６は接続用配線、１７は出力配線を示す。
【００４８】
透光性基板１１としては、ガラスやポリカーボネート樹脂などからなる基板が用いられる。ガラス板ついては、白板ガラス、強化ガラス、倍強化ガラス、熱線反射ガラスなどが用いられるが、一般的には厚さ３ｍｍ〜５ｍｍ程度の白板強化ガラスが使用される。他方、ポリカーボネート樹脂などの合成樹脂からなる基板を用いた場合には、厚みが５ｍｍ程度のものが多く使用される。
【００４９】
太陽電池モジュール用封止材である受光面側封止材１２は、透光性、耐熱性、電気絶縁性を有する素材が好適に用いられ、たとえば酢酸ビニル含有量が２０〜３０％であるエチレンビニルアセテート共重合体（ＥＶＡ）やポリビニルブチラール（ＰＶＢ）などを主成分とする熱可塑性の合成樹脂材が好適に用いられる。また、厚さ０．４〜１ｍｍ程度のシート状形態のものが用いられる。上記のＥＶＡなどは、酸化チタンや顔料等を含有させ白色等に着色させることがあるが、本発明に係る太陽電池モジュール用封止材である受光面側封止材１２においては、着色させると太陽電池素子１３に入射する光量が減少し発電効率が低下するため透明とする。
【００５０】
太陽電池素子１３は、厚み０．３〜０．４ｍｍ程度の単結晶シリコンや多結晶シリコン基板などからなる。太陽電池素子１３の内部にはＰＮ接合が形成され、その受光面と裏面には電極が設けられ、さらに受光面には反射防止膜を設けて構成される。かかる太陽電池素子１３の大きさは、多結晶シリコン太陽電池でおよそ１００〜１５０ｍｍ角程度のものが多い。
【００５１】
太陽電池モジュール用封止材である裏面側封止材１４は、耐熱性、電気絶縁性を有する素材が好適に用いられ、たとえば酢酸ビニル含有量が２０〜３０％であるエチレンビニルアセテート共重合体（ＥＶＡ）やポリビニルブチラール（ＰＶＢ）などを主成分とする合成樹脂材により構成され、厚さ０．４〜１ｍｍ程度のシート状形態のものが用いられる。
【００５２】
また、太陽電池モジュール用封止材である裏面側封止材１４に用いるＥＶＡなどは透明でも構わないし、太陽電池モジュールの周囲の設置環境に合わせ酸化チタンや顔料等を含有させ白色等に着色させても構わない。
【００５３】
裏面シート１５は水分を透過しないようにアルミなどの金属箔を挟持した耐候性を有するフッ素系樹脂シートやアルミナまたはシリカなどの無機酸化物を蒸着したポリエチレンテレフタレ−ト（ＰＥＴ）シートなどが用いられる。
【００５４】
これらはラミネート装置によりいったん減圧してから加熱加圧を行うことで、融着して他の部材と一体化する。
【００５５】
さらに太陽電池モジュール用封止材である受光面側封止材１２、裏面側封止材１４の少なくともどちらかは、シート状の太陽電池モジュール用封止材であるベース材と位置決め用凸部材から成り、ラミネート前の状態でベース材のセルストリング３が配置されない部分の全部または一部分に位置決め用凸部材が設置されている。
【００５６】
図２は本発明に係る太陽電池モジュール用封止材である受光面側封止材１２または裏面側封止材１４の一例の外観を示したものである。図２において１９はシート状の太陽電池モジュール用封止材であるベース材、２０はセルストリング３が配置される部分、２５はセルストリング３が配置されない部分２１に設置された凸部材を示す。
【００５７】
ベース材１９は厚みが０．４〜１ｍｍ程度のシート状のＥＶＡなどの合成樹脂である。凸部材２５の厚みは、接続用配線１６を接続した太陽電池素子１３の厚み分だけすなわち０．４から０．９ｍｍ程度にする。またその幅はセルストリングの間隔と同じか太陽電池素子１３同士を接続するときのずれ等を考慮して、それより１〜５ｍｍ程度大きめにする。
【００５８】
図３は図２のａ−ａ’の断面を示す図である。図３（ａ）は凸部材２５をベース材１９に設置する前の状態を示すものであり、図３（ｂ）凸部材２５をベース材１９に設置した後の状態を示すものである。
【００５９】
凸部材２５に絶縁性のある石英などの無機酸化物、合成樹脂などが使用できる。
【００６０】
凸部材２５の材質に、例えばＥＶＡなどの合成樹脂を使う場合、押し出し成形や金型によりＥＶＡなどの合成樹脂からなるシートを加熱しながらプレスし、冷却後脱型する方法などで、その断面形状が台形に作製できる。この凸部材２５を図３（ｂ）に示すように熱融着や超音波融着などで固定する。
【００６１】
このようにこの凸部材２５に太陽電池モジュール用封止材のベース材１９と異なる材質を使うことにより、ベース材１９からなる受光面側封止材１２、裏面側封止材１４の少なくともどちらかのセルストリング３が配置されない部分に凸部材２５を設置し、セルストリング３はそれが置かれていない部分に設けられた凸部材２５により動きが制限され、太陽電池素子を封止する工程である減圧下にて加熱加圧のとき、凸部材２５が少なくともベース材１９より遅く軟化ように凸部材２５の材質を選定するとよい。
【００６２】
こうしてセルストリング同士の間隔が広がる方向にも小さくなる方向にも歪むことがなくなり、これにより太陽電池モジュールの横方向配線に応力がかかることが無くなり、太陽電池素子と接続配線の接続強度が低下することがない。またセルストリングとセルストリングの間隔が統一され、外観の良好な太陽電池モジュールを提供することができる。
【００６３】
また凸部材２５のＪＩＳ、Ｋ７２１０で規定されたメルトフローレートは、ベース材１９のメルトフローレートより小さいものであることが望ましい。すなわち凸部材２５のメルトフローレートをベース材１９のメルトフローレートより小さくすることにより、ラミネート時の加圧、加熱においてベース材１９のＥＶＡが軟化溶融した場合でも、凸部材２５のＥＶＡはそのメルトフローレートが小さいため、その形状を維持することができる。このため上述のセルストリングのラミネート中の動きを制限する効果を確実なものとすることができる。
【００６４】
尚、合成樹脂のメルトフローレートについては、例えばＥＶＡの場合、ＥＶＡのベースポリマーであるエチレンビニルアセテートや酢酸ビニルの配合比率を変えることにより最適なものに変更することが可能である。
【００６５】
本発明者らが繰り返し行なった実験結果によれば、ベース材１９のＥＶＡのメルトフローレートは、４．０〜８．５ｇ／１０分が最適であり、４．０ｇ／１０分未満になるとラミネート時の溶融で太陽電池素子の周りにＥＶＡが回り込まず太陽電池素子の封止が不十分になり、気泡が発生する。また８．５ｇ／１０分を超えるものを使用するとラミネート時のＥＶＡのパネル部分からのはみ出しが多くなり、太陽電池素子を封止するためのＥＶＡの量が十分でなくなってしまう。
【００６６】
このためベース材のＥＶＡのメルトフローレートは、４．０〜８．５ｇ／１０分としたときに、凸部材２５のメルトフローレートは０．８〜３．８ｇ／１０分が最適であった。すなわち０．８ｇ／１０分未満であると凸部材２５の周囲に気泡が残り太陽電池モジュールの外観が悪くなりまた、３．８ｇ／１０分を超えるとラミネート中に凸部材２５の凸形状を維持できずにセルストリングの歪みが生じることがあった。
【００６７】
図４は本発明に係る太陽電池モジュール用封止材である受光面側封止材１２または裏面側封止材１４の別の実施例の外観を示したものである。図４において２２はセルストリング３が配置される部分、２６はセルストリング３が配置されない部分２３に設けられた四角錐台状の凸部材、２４はシート状の太陽電池モジュール用封止材であるベース材を示す。ベース材２４の厚みは０．４〜１ｍｍ程度で、またセルストリング３が配置されない部分２３に設けられた四角錐台状の凸部材２６の厚みは、接続用配線１６を接続した太陽電池素子１３の厚み分だけすなわち０．４から０．９ｍｍ程度にする。またその一辺の幅はセルストリングの間隔と同じかそれより１〜５ｍｍ程度大きめにする。図３においては凸部材２３の形状は四角錐台状のものであるが、この形状に限定されるものではなく、その底面は他の多角形でも良いし、円錐台状や角柱状、円柱状などでも構わない。
【００６８】
図４に示すような四角錐台状の凸部材２６の作製は、この形状と反対の凹凸面を持つ金型によりＥＶＡシートを加熱しながらプレスし、冷却後脱型する方法などで可能である。この凸部材２６を図４に示すように熱融着や超音波融着などで固定する。
【００６９】
太陽電池素子１３は、厚み０．３〜０．４ｍｍ程度の単結晶シリコンや多結晶シリコン基板などからなる。このようなシリコン基板の内部にはＰＮ接合が形成されるとともに、その受光面と裏面には電極が設けられ、さらに受光面には反射防止膜を設けて構成される。かかる太陽電池素子１３の大きさは、多結晶シリコン太陽電池でおよそ１００〜１５０ｍｍ角程度のものが多い。通常この太陽電池素子１３を複数個銅箔等の接続用配線１６により直列または並列に接続して用いる。
【００７０】
接続用配線１６は太陽電池素子同士を電気的に接続するもので、通常厚さ０．１ｍｍ程度、幅２ｍｍ程度の銅箔の全面をハンダコートしたものを、所定の長さに切断し、太陽電池素子１３の電極上にハンダ付けして用いる。
【００７１】
出力配線１７は太陽電池素子１３により発電された電気出力を太陽電池モジュール裏面に設けられる端子ボックス(不図示）に伝えるものであり、通常厚さ０．１ｍｍ程度、幅２ｍｍ程度の銅箔の全面をハンダコートしたものを、所定の長さに切断し、その一端は接続用配線１６等にハンダ付けされ、他端は端子ボックス内のターミナルにハンダ付けされている。
【００７２】
太陽電池モジュールを製造するにあたっては、透光性部材１１上に凸部材を設置した受光面側封止材１２を凸部材のある面を上にして置く。この受光面側封止材１２の凸部材の設置されていない部分に接続用配線１６や出力配線１７を接続した太陽電池素子１３を置き、さらにその上に裏面側封止材１４、背面材１５を順次積層する。このような状態にして、ラミネーターにセットし、減圧下で押圧ながら１００〜２００℃で例えば１５分〜１時間加熱しこれらを一体化する。
【００７３】
上記の方法は、受光面側封止材１２に凸部材を設置した場合について説明したが、裏面側封止材１４に凸部材を設置した場合については、透光性部材１１上に受光面側封止材１２、接続用配線１６や出力配線１７を接続した太陽電池素子１３を所定の位置に置く。これに凸部材を設置した裏面側封止材１４を凸部材のある面を下側にして、さらにこの凸部材が太陽電池素子１３の無い部分に合うように調整しながら積層する。この上に裏面シート１５をさらに積層する。このようにして上記のようにラミネートすることで可能である。
【００７４】
また別の製造方法として、裏面シート１５上に凸部材を設置した裏面側封止材１４を凸部材のある面を上にして置く。この裏面側封止材１４の凸部材の設置されていない部分に接続用配線１６や出力配線１７を接続した太陽電池素子１３を置き、さらにその上に受光面側封止材１２、透光性部材１１を順次積層する。このようにして上記のようにラミネートすることでも可能である。
【００７５】
上記の方法は、裏面側封止材１４に凸部を設けた場合について説明したが、受光面側封止材１２に凸部材を設けた場合については、裏面シート１５上に裏面側封止材１２、接続用配線１６や出力配線１７を接続した太陽電池素子１３を積層する。これに凸部材を設置した受光面側封止材１２を凸部材のある面を下側にして、さらに凸部材が太陽電池素子１３の無い部分に合うように調整しながら積層する。この上に透光性部材１１をさらに積層する。このようにして上記のようにラミネートすることで可能である。
【００７６】
また、上記の太陽電池モジュールの製造方法において、受光面側封止材１２と裏面側封止材１４ともに凸部を設けた場合についても、例えば受光面側封止材１２と裏面側封止材１４の両者に互いがラミネート時に同じ位置にならないように凸部を設けることも可能である。
【００７７】
このように受光面側封止材１２と裏面側封止材１４の少なくともどちらかに図２、図４に示したようなセルストリング３が配置されない部分に凸形状部分を設け、これを使用して上述のようにラミネートすることにより、ラミネートで受光面側封止材１２または裏面側封止材１４が加熱、押圧により広がる場合や裏面シート１５の熱収縮などがあっても、セルストリング３はこの凸部により動きが制限され、セルストリング同士の間隔が広がる方向にも小さくなる方向にも歪むことがなくなり、これにより太陽電池モジュールの横方向配線に応力がかかることが無くなり、太陽電池素子と接続配線の接続強度が低下することがない。またセルストリングとセルストリングの間隔が統一され、外観の良好な太陽電池モジュールを提供することができる。
【００７８】
次にこの一体化した太陽電池パネルの４辺にモジュール枠（図示せず）を取り付ける。このモジュール枠は太陽電池モジュールに必要な強度やコストを考慮してアルミニウムや樹脂などで造られることが多い。アルミニウムで造る場合には、アルミニウムを押し出し成形して造られ、その表面にアルマイト処理やクリヤ塗装が施されることが多い。このようなモジュール枠を太陽電池パネル部の各辺に取り付けた後、モジュール枠の各コーナー部をネジ止めして太陽電池モジュールが完成する。
【００７９】
なお、本発明は上記実施形態に限定されるものではなく、本発明の範囲内で多くの修正および変更を加えることができる。また、太陽電池素子は単結晶や多結晶シリコンなどの結晶系太陽電池に限定されるものではなく、薄膜系太陽電池などでも適用可能である。
【図面の簡単な説明】
【００８０】
【図１】本発明に係る太陽電池モジュールの製造方法における太陽電池モジュール部の構造の一例を示す図である。
【図２】本発明に係る太陽電池モジュール用封止材である受光面側封止材または裏面側封止材の一例の外観を示したものである。
【図３】（ａ）凸部材をベース材に設置する前の状態を示すものである。（ｂ）凸部材をベース材に設置した後の状態を示すものである。
【図４】本発明に係る太陽電池モジュール用封止材である受光面側封止材または裏面側封止材の別の実施例の外観を示したものである。
【図５】従来の太陽電池モジュール内の太陽電池素子の接続の状態の一例を示したものである。
【符号の説明】
【００８１】
１、１３・・・太陽電池素子
２、１６・・・接続用配線
３・・・セルストリング
４・・・横方向配線
１１・・・透光性基板
１２・・・受光面側封止材
１４・・・裏面側封止材
１５・・・裏面シート
１７・・・出力配線
１９、２４・・・ベース材
２０、２２・・・セルストリングの配置される部分
２１、２３・・・セルストリングの配置されない部分
２５、２６・・・凸部材
【図１】
2005136128.tif 000003
【図２】
2005136128.tif 000004
【図３】
2005136128.tif 000005
【図４】
2005136128.tif 000006
【図５】
2005136128.tif 000007